【手続補正書】
【提出日】平成29年3月3日(2017.3.3)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によって実行されるワイヤレス通信のための方法であって、
第１のサブフレーム構成の第１のサブフレームを基地局から受信することと、
近隣基地局が前記第１のサブフレームの間に第２のサブフレーム構成に従って動作しているかどうか判断することと、前記第２のサブフレーム構成は前記第１のサブフレーム構成とは異なる、
前記判断に基づいて、前記第１のサブフレームのための干渉管理動作を修正することと
を備える方法。
【請求項２】
干渉管理動作を前記修正することは、前記第１のサブフレームの少なくとも一部分の間に少なくとも部分的に前記干渉管理動作を省略することを備える、請求項１に記載の方法。
【請求項３】
前記第１のサブフレーム構成は、ダウンリンクサブフレーム、アップリンクサブフレーム、または特殊サブフレームのうち１つであり、前記第２のサブフレーム構成は、前記ダウンリンクサブフレーム、前記アップリンクサブフレーム、または前記特殊サブフレームのうち１つである、請求項１に記載の方法。
【請求項４】
前記干渉管理動作が少なくとも部分的に省略されるべき１つまたは複数のサブフレームの少なくとも一部分を識別する情報を前記基地局から受信すること
をさらに備える、請求項１に記載の方法。
【請求項５】
前記情報は、前記近隣基地局のための時分割二重（ＴＤＤ）アップリンク／ダウンリンク（ＵＬ／ＤＬ）構成の指示を備え、干渉を含むサブフレームのサブセットは、前記近隣基地局のための前記ＴＤＤ  ＵＬ／ＤＬ構成に基づいて判断される、請求項４に記載の方法。
【請求項６】
前記判断することは、
少なくとも部分的に前記第１のサブフレームと重複する、前記近隣基地局のための第２のサブフレームがダウンリンク送信またはアップリンク送信のうち１つまたは複数を備えるかどうか検出すること
を備える、請求項１に記載の方法。
【請求項７】
前記検出することは、
前記近隣基地局の基準信号を受信することと、
前記基準信号に関連付けられた情報に基づいて、前記近隣基地局のための前記第２のサブフレームがダウンリンク送信および／またはアップリンク送信を備えるかどうか判断することと
を備える、請求項６に記載の方法。
【請求項８】
前記第２のサブフレーム構成は、前記近隣基地局のリソースブロックと、前記近隣基地局のすべての送信されるサブフレームが前記リソースブロック内の情報に一致するという仮定とに基づいて判断される、請求項６に記載の方法。
【請求項９】
第３のサブフレーム構成の第３のサブフレームを前記基地局から受信することと、前記第３のサブフレームは第１の特殊サブフレーム（ＳＳＦ）を備える、
前記近隣基地局が前記第３のサブフレームの間に第４のサブフレーム構成に従って動作していると判断することと、
前記第４のサブフレーム構成と同じである前記第３のサブフレーム構成に応じて、前記第３のサブフレームのための前記干渉管理動作を修正することと
をさらに備える、請求項１に記載の方法。
【請求項１０】
干渉管理動作を前記修正することは、前記ＳＳＦのための前記第３のサブフレームの少なくとも一部分の間に少なくとも部分的に前記干渉管理動作を省略することを備える、請求項９に記載の方法。
【請求項１１】
請求項１乃至１０のいずれか１項のステップを実行するためのコードを備える、非一時的なコンピュータ可読媒体。
【請求項１２】
請求項１乃至１０のいずれか１項を実行するようにアレンジされる手段を備える、ワイヤレス通信のための装置。
【請求項１３】
基地局によって実行されるワイヤレス通信のための方法であって、
ユーザ機器（ＵＥ）に関連付けられた第１のサブフレームのための第１のサブフレーム構成を識別することと、
近隣基地局が前記第１のサブフレームの間に、前記第１のサブフレーム構成とは異なる第２のサブフレーム構成に従って動作していると判断することと、
前記判断に基づいて、前記第１のサブフレームのための干渉動作を修正することと
を備える方法。
【請求項１４】
干渉管理動作を前記修正することは、干渉管理修正のための前記第１のサブフレームを識別する情報を前記ＵＥに送信することを備える、請求項１３に記載の方法。
【請求項１５】
前記情報は、サブフレームのサブセットを識別するビットマップを備え、干渉管理動作を前記修正することは、前記第１のサブフレームの少なくとも一部分の間に少なくとも部分的に前記干渉管理動作を省略することを備える、請求項１４に記載の方法。
【手続補正２】
【補正対象書類名】明細書
【補正対象項目名】００８５
【補正方法】変更
【補正の内容】
【００８５】
[0099]本開示についてのこれまでの説明は、当業者が本開示を構成または使用することができるように与えられる。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についてのいかなる優先をも暗示することはなく、または要求することもない。したがって、本開示は、本明細書で説明された例および設計に限定されるべきでなく、本明細書で開示される原理および新規の特徴に合致する最も広い範囲を与えられるべきである。
以下に、本願出願の当初の特許請求の範囲に記載された発明を付記する。
［Ｃ１］
ユーザ機器（ＵＥ）によって実行されるワイヤレス通信のための方法であって、
第１のサブフレーム構成の第１のサブフレームを基地局から受信することと、
近隣基地局が前記第１のサブフレームの間に第２のサブフレーム構成に従って動作しているかどうか判断することと、前記第２のサブフレーム構成は前記第１のサブフレーム構成とは異なる、
前記判断に基づいて、前記第１のサブフレームのための干渉管理動作を修正することと
を備える方法。
［Ｃ２］
干渉管理動作を前記修正することは、前記第１のサブフレームの少なくとも一部分の間に少なくとも部分的に前記干渉管理動作を省略することを備える、［Ｃ１］に記載の方法。
［Ｃ３］
前記第１のサブフレーム構成は、ダウンリンクサブフレーム、アップリンクサブフレーム、または特殊サブフレームのうち１つであり、前記第２のサブフレーム構成は、前記ダウンリンクサブフレーム、前記アップリンクサブフレーム、または前記特殊サブフレームのうち１つである、［Ｃ１］に記載の方法。
［Ｃ４］
前記干渉管理動作が少なくとも部分的に省略されるべき１つまたは複数のサブフレームの少なくとも一部分を識別する情報を前記基地局から受信すること
をさらに備える、［Ｃ１］に記載の方法。
［Ｃ５］
前記情報は、前記近隣基地局のための時分割二重（ＴＤＤ）アップリンク／ダウンリンク（ＵＬ／ＤＬ）構成の指示を備え、干渉を含むサブフレームのサブセットは、前記近隣基地局のための前記ＴＤＤ  ＵＬ／ＤＬ構成に基づいて判断される、［Ｃ４］に記載の方法。
［Ｃ６］
前記判断することは、
少なくとも部分的に前記第１のサブフレームと重複する、前記近隣基地局のための第２のサブフレームがダウンリンク送信またはアップリンク送信のうち１つまたは複数を備えるかどうか検出すること
を備える、［Ｃ１］に記載の方法。
［Ｃ７］
前記検出することは、
前記近隣基地局の基準信号を受信することと、
前記基準信号に関連付けられた情報に基づいて、前記近隣基地局のための前記第２のサブフレームがダウンリンク送信および／またはアップリンク送信を備えるかどうか判断することと
を備える、［Ｃ６］に記載の方法。
［Ｃ８］
前記第２のサブフレーム構成は、前記近隣基地局のリソースブロックと、前記近隣基地局のすべての送信されるサブフレームが前記リソースブロック内の情報に一致するという仮定とに基づいて判断される、［Ｃ６］に記載の方法。
［Ｃ９］
第３のサブフレーム構成の第３のサブフレームを前記基地局から受信することと、前記第３のサブフレームは第１の特殊サブフレーム（ＳＳＦ）を備える、
前記近隣基地局が前記第３のサブフレームの間に第４のサブフレーム構成に従って動作していると判断することと、
前記第４のサブフレーム構成と同じである前記第３のサブフレーム構成に応じて、前記第３のサブフレームのための前記干渉管理動作を修正することと
をさらに備える、［Ｃ１］に記載の方法。
［Ｃ１０］
干渉管理動作を前記修正することは、前記ＳＳＦのための前記第３のサブフレームの少なくとも一部分の間に少なくとも部分的に前記干渉管理動作を省略することを備える、［Ｃ９］に記載の方法。
［Ｃ１１］
第１のサブフレーム構成の第１のサブフレームを基地局から受信することと、
近隣基地局が前記第１のサブフレームの間に第２のサブフレーム構成に従って動作しているかどうか判断することと、前記第２のサブフレーム構成は前記第１のサブフレーム構成とは異なる、
前記判断に基づいて、前記第１のサブフレームのための干渉管理動作を修正することと
を行うためのコードを備える、非一時的なコンピュータ可読媒体。
［Ｃ１２］
干渉管理動作を修正するための前記コードは、前記第１のサブフレームの少なくとも一部分の間に少なくとも部分的に前記干渉管理動作を省略するためのコードを備える、［Ｃ１１］に記載のコンピュータプログラム製品。
［Ｃ１３］
前記第１のサブフレーム構成は、ダウンリンクサブフレーム、アップリンクサブフレーム、または特殊サブフレームのうち１つであり、前記第２のサブフレーム構成は、ダウンリンクサブフレーム、アップリンクサブフレーム、または特殊サブフレームのうち１つである、［Ｃ１１］に記載のコンピュータプログラム製品。
［Ｃ１４］
前記干渉管理動作が少なくとも部分的に省略されるべき１つまたは複数のサブフレームの少なくとも一部分を識別する情報を前記基地局から受信すること
をさらに備える、［Ｃ１１］に記載のコンピュータ可読媒体。
［Ｃ１５］
少なくとも部分的に前記第１のサブフレームと重複する、前記近隣基地局のための第２のサブフレームがダウンリンク送信またはアップリンク送信のうち１つまたは複数を備えるかどうか検出する
ためのコードをさらに備える、［Ｃ１１］に記載のコンピュータ可読媒体。
［Ｃ１６］
検出するための前記コードは、
前記近隣基地局の基準信号を受信し、
前記基準信号に関連付けられた情報に基づいて、前記近隣基地局のための前記第２のサブフレームがダウンリンク送信および／またはアップリンク送信を備えるかどうか判断する
ためのコードをさらに備える、［Ｃ１５］に記載のコンピュータ可読媒体。
［Ｃ１７］
前記第２のサブフレーム構成は、前記近隣基地局のリソースブロックと、前記近隣基地局のすべての送信されるサブフレームが前記リソースブロック内の情報に一致するという仮定とに基づいて判断される、［Ｃ１５］に記載のコンピュータ可読媒体。
［Ｃ１８］
第３のサブフレーム構成の第３のサブフレームを前記基地局から受信することと、前記第３のサブフレームは第１の特殊サブフレーム（ＳＳＦ）を備える、
前記近隣基地局が前記第３のサブフレームの間に第４のサブフレーム構成に従って動作していると判断することと、
前記第４のサブフレーム構成と同じである前記第３のサブフレーム構成に応じて、前記第３のサブフレームのための前記干渉管理動作を修正することと
を行うためのコードをさらに備える、［Ｃ１１］に記載のコンピュータ可読媒体。
［Ｃ１９］
干渉管理動作を前記修正することは、前記ＳＳＦのための前記第３のサブフレームの少なくとも一部分の間に少なくとも部分的に前記干渉管理動作を省略することを備える、［Ｃ１８］に記載のコンピュータ可読媒体。
［Ｃ２０］
第１のサブフレーム構成の第１のサブフレームを基地局から受信するための手段と、
近隣基地局が前記第１のサブフレームの間に第２のサブフレーム構成に従って動作しているかどうか判断するための手段と、前記第２のサブフレーム構成は前記第１のサブフレーム構成とは異なる、
前記判断に基づいて、前記第１のサブフレームのための干渉管理動作を修正するための手段と
を備える、ワイヤレス通信のための装置。
［Ｃ２１］
干渉管理動作を修正するための前記手段は、前記第１のサブフレームの少なくとも一部分の間に少なくとも部分的に前記干渉管理動作を省略するための手段を備える、［Ｃ２０］に記載の装置。
［Ｃ２２］
前記第１のサブフレーム構成は、ダウンリンクサブフレーム、アップリンクサブフレーム、または特殊サブフレームのうち１つであり、前記第２のサブフレーム構成は、ダウンリンクサブフレーム、アップリンクサブフレーム、または特殊サブフレームのうち１つである、［Ｃ２０］に記載の装置。
［Ｃ２３］
前記干渉管理動作が少なくとも部分的に省略されるべき１つまたは複数のサブフレームの少なくとも一部分を識別する情報を前記基地局から受信するための手段
をさらに備える、［Ｃ２０］に記載の装置。
［Ｃ２４］
前記情報は、前記近隣基地局のための時分割二重（ＴＤＤ）アップリンク／ダウンリンク（ＵＬ／ＤＬ）構成の指示を備え、干渉を含むサブフレームのサブセットは、前記近隣基地局のための前記ＴＤＤ  ＵＬ／ＤＬ構成に基づいて判断される、［Ｃ２３］に記載の装置。
［Ｃ２５］
少なくとも部分的に前記第１のサブフレームと重複する、前記近隣基地局のための第２のサブフレームがダウンリンク送信またはアップリンク送信のうち１つまたは複数を備えるかどうか検出するための手段
をさらに備える、［Ｃ２０］に記載の装置。
［Ｃ２６］
検出するための前記手段は、
前記近隣基地局の基準信号を受信するための手段と、
前記基準信号に関連付けられた情報に基づいて、前記近隣基地局のための前記第２のサブフレームがダウンリンク送信および／またはアップリンク送信を備えるかどうか判断するための手段と
を備える、［Ｃ２５］に記載の装置。
［Ｃ２７］
前記第２のサブフレーム構成は、前記近隣基地局のリソースブロックと、前記近隣基地局のすべての送信されるサブフレームが前記リソースブロック内の情報に一致するという仮定とに基づいて判断される、［Ｃ２５］に記載の装置。
［Ｃ２８］
基地局によって実行されるワイヤレス通信のための方法であって、
ユーザ機器（ＵＥ）に関連付けられた第１のサブフレームのための第１のサブフレーム構成を識別することと、
近隣基地局が前記第１のサブフレームの間に、前記第１のサブフレーム構成とは異なる第２のサブフレーム構成に従って動作していると判断することと、
前記判断に基づいて、前記第１のサブフレームのための干渉動作を修正することと
を備える方法。
［Ｃ２９］
干渉管理動作を前記修正することは、干渉管理修正のための前記第１のサブフレームを識別する情報を前記ＵＥに送信することを備える、［Ｃ２８］に記載の方法。
［Ｃ３０］
前記情報は、サブフレームのサブセットを識別するビットマップを備え、干渉管理動作を前記修正することは、前記第１のサブフレームの少なくとも一部分の間に少なくとも部分的に前記干渉管理動作を省略することを備える、［Ｃ２９］に記載の方法。